(57)【要約】【課題】ポイントマークＰ１〜Ｐ６の誤認識を徹底的に防止することができ、またパーツパターン２の大型化や増加などを行う場合のポイントマークＰ１〜Ｐ６の位置変更も簡単且つミスを誘発させることなく対応できるようにする。【解決手段】切り出し予定の生地パーツを表示するパーツパターン２と、単数又は複数のパーツパターン２で構成されるパターン区画４を取り囲む複数のポイントマークＰ１〜Ｐ６とを有しており、ポイントマークＰ１〜Ｐ６が一次元コード型図形又は二次元コード型図形によって形成されているものとする。【選択図】図１
2015048556.tif 000002
【特許請求の範囲】
【請求項１】
切り出し予定の生地パーツを表示するパーツパターンと、
単数又は複数のパーツパターンで構成されるパターン区画を取り囲む複数のポイントマークとを有しており、
前記ポイントマークが一次元コード型図形又は二次元コード型図形によって形成されている
ことを特徴とする生地。
【請求項２】
前記ポイントマークは、実質的に付加情報を含ませることのできる一次元コード又は二次元コードによって形成されていることを特徴とする請求項１記載の生地。
【請求項３】
前記付加情報は、前記パターン区画内で割り振られる各ポイントマークの配置番号であることを特徴とする請求項２記載の生地。
【請求項４】
前記付加情報は、前記ポイントマークを規定の表示位置から位置ズレさせたときのズレ量であることを特徴とする請求項２又は請求項３に記載の生地。
【請求項５】
前記付加情報は、前記パターン区画ごとに各ポイントマークからコードの一部又は全部を抽出し連結することで形成した多数桁コードに基づきデータベースから読み出されることを特徴とする請求項２乃至請求項４のいずれか１項に記載の生地。
【請求項６】
生地に対し、切り出し予定の生地パーツをパーツパターンとして表示すると共に、単数又は複数のパーツパターンで構成されるパターン区画を取り囲む配置で一次元コード型図形又は二次元コード型図形により形成された複数のポイントマークを表示しておき、
前記生地をテーブル上に広げて各ポイントマークを検出し、
検出したポイントマーク同士を結んで得た実際のパターン区画を理想形のパターン区画と比較することで生地に生じた伸縮率を求め、
求められた伸縮率に基づいて前記パーツパターンの位置ズレ及びパーツパターンの変形に応じた裁断用の補正データを作成し、
得られた補正データに基づいて生地を裁断することを特徴とする生地裁断方法。
【請求項７】
生地に対し、切り出し予定の生地パーツをパーツパターンとして表示すると共に、単数又は複数のパーツパターンで構成されるパターン区画を取り囲む配置で一次元コード又は二次元コードにより形成されて実質的に付加情報を判別可能にする複数のポイントマークを表示させることを原則とおき、
そのうえで、
例外的に前記パーツパターンと前記ポイントマークとが位置的に干渉する際には、前記ポイントマークを規定位置から位置ズレさせて表示させると共に、前記ポイントマークには前記付加情報として位置ズレさせたズレ量を含ませておくものとし、
前記生地をテーブル上に広げて各ポイントマークを検出し、
検出したポイントマークに付加情報が含まれていることが判別されたときにはこの付加情報が示す前記ズレ量にしたがって当該ポイントマークについての規定位置を取得し、
前記ポイントマークが示す規定位置同士を結んで得た実際のパターン区画を理想形のパターン区画と比較することで生地に生じた伸縮率を求め、
求められた伸縮率に基づいて前記パーツパターンの位置ズレ及びパーツパターンの変形に応じた裁断用の補正データを作成し、
得られた補正データに基づいて生地を裁断することを特徴とする生地裁断方法。
【発明の詳細な説明】
【技術分野】
【０００１】
本発明は、生地の伸縮に対応させて生地パーツの的確な切り出しができるようにした生地及びこの生地を裁断する方法に関するものである。
【背景技術】
【０００２】
生地を支持するテーブル上で裁断ヘッドを移動させる構成の生地裁断装置を用い、生地に捺染されたパーツパターンに合わせて生地パーツを切り出す方法がある。本出願人は、この方法の実施時に、たとえ伸縮した生地であってもパーツパターンと一致した生地パーツの切り出しができる（パーツパターンの輪郭から生地パーツの切り抜き位置がズレするのを防止できる）ようにするための「裁断プログラム補正方法」を開発し、特許出願している（特許文献１参照）。
【０００３】
この「裁断プログラム補正方法」では、裁断前の生地に対し、予め、パーツパターンの周りに複数（例えば４つ）のポイントマークを表示しておく。そして、生地の長手方向及び短手方向で並ぶポイントマーク同士を結んだ仮想の長方形として取り込み、この仮想長方形の短辺を二分した短辺側（長辺に沿った）中間線及び仮想長方形の長辺を二分した長辺側（短辺に沿った）中間線を求める。そして、仮想長方形における両側の各長辺と短辺側中間線との並行間距離、及び両側の各短辺と長辺側中間線との並行間距離と、設計上（伸縮していない理想形）の長方形の該当距離とを逐一比較して各辺の伸縮率分布を求め、この伸縮率分布に基づいて裁断プログラムを補正するというものである。
【０００４】
この補正方法で採用するポイントマークは、例えば×印や○印等の単純図形を用いていた。
【先行技術文献】
【特許文献】
【０００５】
【特許文献１】特開２０１３−４９９３３号公報
【発明の概要】
【発明が解決しようとする課題】
【０００６】
本出願人の出願に係る「裁断プログラム補正方法」を採用すれば、生地の伸縮が原因でパーツパターンが特有の伸縮変形や位置ズレを起こしていても、そのパーツパターンに一致した生地パーツの切り出しができるため、裁断には失敗が無く、ひいては生地の歩留まり、装置の稼働効率、裁断作業の作業能率が飛躍的に向上するものであった。
ところで、流行などに敏感なアパレル業界にあって、パーツパターンに採用されるデザインや形状には多種多様な要請がつきものとされる。これに関し、本出願人は、パーツパターンの外周部近傍に×印や○印に類似するデザインが施されるようなことも想定しておかなければならないことに想到した。すなわち、前記「裁断プログラム補正方法」においてポイントマークを取り込む際に、パーツパターンに含まれるデザインの一部をポイントマークと誤認識してしまうことはないか、という懸念を未然に払拭しておく必要がある。
【０００７】
加えて、裁断前の生地が帯状に長いものであって、且つ帯状の長手方向でパーツパターンの表示領域が繰り返される配置である場合に、隣合う表示領域間でポイントマークの混同が起こらないように予防しておくことも好適とされる。
なお、パーツパターンのデザインを大型化したいとか配置数を増やしたいとかの要請があった場合に、ポイントマークの本来の表示位置とパーツパターンとの干渉を避けるために、ポイントマークの位置を変更したいとの要請が生じることもあった。しかし、ポイントマークの位置を変更すると、新たな座標設定を、作業者による手作業で入力させる手間が必要になる。これに伴い、入力ミスも増える傾向となるため、実施手順や操作マニュアル的にはこのような対応を不可とする扱いにしていた。
【０００８】
ただ、生地の切り滓を可及的に少なくして歩留まりを高めるためには、このような要請に対応できるようにすることも重要であり、ポイントマークの位置変更を可能にすることが望まれていた。
本発明は、上記事情に鑑みてなされたものであって、ポイントマークの誤認識を徹底的
に防止することができ、またパーツパターンの大型化や増加などを行う場合のポイントマークの位置変更も簡単且つミスを誘発させることなく対応できるようにした生地及びその裁断方法を提供することを目的とする。
【課題を解決するための手段】
【０００９】
前記目的を達成するために、本発明は次の手段を講じた。
即ち、本発明に係る生地では、切り出し予定の生地パーツを表示するパーツパターンと、単数又は複数のパーツパターンで構成されるパターン区画を取り囲む複数のポイントマークとを有しており、前記ポイントマークが一次元コード型図形又は二次元コード型図形によって形成されていることを特徴とする。
【００１０】
前記ポイントマークは、実質的に付加情報を含ませることのできる一次元コード又は二次元コードによって形成されたものとするのがよい。
前記付加情報は、前記パターン区画内で割り振られる各ポイントマークの配置番号とすることができる。
また、前記付加情報は、前記ポイントマークを規定の表示位置から位置ズレさせたときのズレ量とすることができる。
【００１１】
更に、前記付加情報は、前記パターン区画ごとに各ポイントマークからコードの一部又は全部を抽出し連結することで形成した多数桁コードに基づきデータベースから読み出すものとしてもよい。
一方、本発明に係る生地の裁断方法は、生地に対し、切り出し予定の生地パーツをパーツパターンとして表示すると共に、単数又は複数のパーツパターンで構成されるパターン区画を取り囲む配置で一次元コード型図形又は二次元コード型図形により形成された複数のポイントマークを表示しておき、前記生地をテーブル上に広げて各ポイントマークを検出し、検出したポイントマーク同士を結んで得た実際のパターン区画を理想形のパターン区画と比較することで生地に生じた伸縮率を求め、求められた伸縮率に基づいて前記パーツパターンの位置ズレ及びパーツパターンの変形に応じた裁断用の補正データを作成し、得られた補正データに基づいて生地を裁断することを特徴とする。
【００１２】
また、本発明に係る生地の裁断方法としては、生地に対し、切り出し予定の生地パーツをパーツパターンとして表示すると共に、単数又は複数のパーツパターンで構成されるパターン区画を取り囲む配置で一次元コード又は二次元コードにより形成されて実質的に付加情報を判別可能にする複数のポイントマークを表示させることを原則とおき、そのうえで、例外的に前記パーツパターンと前記ポイントマークとが位置的に干渉する際には、前記ポイントマークを規定位置から位置ズレさせて表示させると共に、前記ポイントマークには前記付加情報として位置ズレさせたズレ量を含ませておくものとし、前記生地をテーブル上に広げて各ポイントマークを検出し、検出したポイントマークに付加情報が含まれていることが判別されたときにはこの付加情報が示す前記ズレ量にしたがって当該ポイントマークについての規定位置を取得し、前記ポイントマークが示す規定位置同士を結んで得た実際のパターン区画を理想形のパターン区画と比較することで生地に生じた伸縮率を求め、求められた伸縮率に基づいて前記パーツパターンの位置ズレ及びパーツパターンの変形に応じた裁断用の補正データを作成し、得られた補正データに基づいて生地を裁断することを特徴としたものとすることもできる。
【発明の効果】
【００１３】
本発明に係る生地及びその裁断方法では、ポイントマークの誤認識を徹底的に防止することができ、またパーツパターンの大型化や増加などを行う場合のポイントマークの位置変更も簡単且つミスを誘発させることなく対応できるようになる。
【図面の簡単な説明】
【００１４】
【図１】本発明に係る生地の第１実施形態を示した平面図である。
【図２】本発明に係る生地の第２実施形態を示した平面図である。
【発明を実施するための形態】
【００１５】
以下、本発明の実施の形態を、図面に基づき説明する。
図１は、本発明に係る生地１の第１実施形態を示している。本第１実施形態の生地１に
は、パーツパターン２（切り出そうとする生地パーツを表示させたもの）が表示されていると共に、このパーツパターン２を含んで構成されるパターン区画４を取り囲むようにして複数のポイントマークＰ１〜Ｐ６が表示されている。
【００１６】
本第１実施形態において、生地１には生地ロールから巻き出された帯状生地を例示してあり、パターン区画４は、生地１の帯長手方向（図１の左右方向）に沿って互いに隣接するように複数設けられるものとしてある。
なお、パターン区画４は、一つ（単数）のパーツパターン２で構成される場合だけでなく、複数のパーツパターン２の集合体として構成される場合もある。例えば、一つのパターン区画４により、１着の衣類を構成するのに必要なパーツパターン２をグループ化させるといった区画割りにすることなどが考えられる。
【００１７】
ポイントマークＰ１〜Ｐ６は、前記したようにパターン区画４を生地１上に設定するうえで必要とされるものであり、またこのパターン区画４内のパーツパターン２の伸縮変形や位置ズレを補正するために必要とされるものである。
このポイントマークＰ１〜Ｐ６は、一次元コード型図形や二次元コード型図形によって形成されている。ここにおいて「一次元コード型図形」とは、一次元コード（いわゆるバーコード等）のように、太さを種々に変えた線を平行に並べて、全体として長方形などの四角形を呈するようにした図形を言う。この一次元コード型図形は、付加情報を含ませる機能を有したものとするのが好ましい。すなわち、規格に基づいた実際の一次元コードとするのが好ましい。
【００１８】
なお、「付加情報」とは、数字や英字、記号等として読み取り可能で、この読み取った数字等でデータコードを形成できるものを言う。但し、一次元コード型図形として実際に付加情報を含んでいるか否かは、特に限定されるものではない。また、場合によっては、付加情報を含ませる機能を有しないもの（一次元コードに類似させた図形）でもよい。本発明において、一次元コード型図形とは、これらの図形を全て含んだものとする。
【００１９】
また、「二次元コード型図形」とは、二次元コード（いわゆるＱＲコード（登録商標）
等）のように、塗りつぶし点と空白点とを混ぜながら全体として正方形などの四角形を呈するようにした図形を言う。この二次元コード型図形についても、「付加情報を含ませる機能を有したもの（規格に基づいた実際の二次元コード）とするのが好ましい点」、「但し、実際に付加情報を含んでいるか否かは限定されない点」、また「元来、付加情報を含ませる機能を有しないもの（二次元コードに類似させた図形）でもよいとする点」で、前記した一次元コード型図形と同様の事情を有する。
【００２０】
このような図形によって形成されるポイントマークＰ１〜Ｐ６であれば、生地１のパターン区画４内に表示される他の図形（パーツパターン２等）との間で誤認識が起こることは略無くなり、特に、ポイントマークＰ１〜Ｐ６を実際の一次元コードや二次元コードとする場合であれば、完璧に誤認識の発生を防止できるようになる。
従って、このようなポイントマークＰ１〜Ｐ６であれば、各図形中に含まれた１点を特定することができる。この特定する１点としては、例えば、ポイントマークＰ１〜Ｐ６の図心（図形の重心位置）としたり、ポイントマークＰ１〜Ｐ６の隅角位置などとしたりすればよい。このような特定する１点をどの位置にするかについては、検出装置側のシステム（ソフト）に委ねるところとなる。
【００２１】
本実施形態では、ポイントマークＰ１〜Ｐ６が規格に基づいた実際の一次元コード又は二次元コードとしてある。そのため、これらポイントマークＰ１〜Ｐ６は、複数の数字を連ねる（複数桁にする）ことで構成した付加情報を含ませることができるようになっている。このように一次元コード又は二次元コードで形成されたポイントマークＰ１〜Ｐ６は、コードリーダやラインセンサカメラなどを用いることで生地１に対して非接触のままでも情報の読み取りが可能となっている。
【００２２】
ところで、これらポイントマークＰ１〜Ｐ６によって読み取ることのできる付加情報は、パターン区画４内で割り振られる各ポイントマークＰ１〜Ｐ６の配置番号などとすることができる。
或いは、前記したようにポイントマークＰ１〜Ｐ６は複数の数字を連ねたものであるこ
とから、個々のポイントマークＰ１〜Ｐ６から１つ又はそれ以上の数字を抽出し連結することで、一つのパターン区画４内において多数桁（マーク配置数と同数の桁又はそれ以上の桁）を持つコードとして形成することができる。
【００２３】
そこで、このようにして形成した多数桁コードに基づき、データベースから必要とされる多くの情報（一つのポイントマークには組み込めない量の情報）を読み出すようして、これをポイントマークＰ１〜Ｐ６が有する付加情報として用いるものとしてもよい。
本第１実施形態において、ポイントマークＰ１〜Ｐ６は、一辺が８〜１０ｍｍ程度の小さな正方形を呈する二次元コードである場合を示してある。そのため、個々のポイントマークＰ１〜Ｐ６は、３〜４桁程度の数字を連ねることで構成した情報を持つものとなっている。
【００２４】
また、各ポイントマークＰ１〜Ｐ６の具体的な配置は以下のようにしてある。すなわち、生地１の帯長手方向に沿う一辺側（図１下側）に近接してポイントマークＰ１，Ｐ２が配置され、他辺側（図１上側）に近接してポイントマークＰ３，Ｐ４が配置されている。更に、ポイントマークＰ１とＰ２との中間位置、及びポイントマークＰ３とＰ４との中間位置にポイントマークＰ５，Ｐ６が配置されている。ポイントマークＰ１とＰ３、Ｐ２，Ｐ４及びＰ５，Ｐ６は、それぞれ、帯幅方向（短手方向）で並ぶ配置とされている。
【００２５】
ここにおいてパターン区画４は、ポイントマークＰ１とＰ２、Ｐ３とＰ４とを結ぶ２本の仮想直線を長辺とし、ポイントマークＰ１とＰ３、Ｐ２とＰ４とを結ぶ２本の仮想直線を短辺として囲み形成される仮想上の長方形に設定することができる。或いは、この仮想上の長方形に対して相似的な長方形（各長辺や各短辺に平行な仮想直線で囲み形成されるもの）として設定することもできる。
【００２６】
このようなポイントマークＰ１〜Ｐ６は、インクジェット捺染やスクリーン捺染などの各種捺染方法により、パーツパターン２と同時又は別工程で表示させることができる。生地１に対するポイントマークＰ１〜Ｐ６の捺染時は、２本の長辺、２本の短辺は互いに平行し、各長辺と各短辺とは垂直に交差するように、各ポイントマークＰ１〜Ｐ６を配置する。
【００２７】
しかし、生地１にはその後の養生時間、或いは各種工程を経ることで伸縮が起こり、その結果、前記した仮想長方形とされるパターン区画４も、伸縮変形や歪み変形を起こしたものとなっている。すなわち、２本の長辺、２本の短辺は非平行となっている場合があり、各長辺と各短辺との間も非垂直となっている場合がある。
なお、パターン区画４内において、パーツパターン２の配置と各ポイントマークＰ１〜Ｐ６の配置との間には、間接的な位置関係は生じるとしても、直接的、一義的な位置関係は設けていない。そのため、パーツパターン２が変更されたとしても、パーツパターン２とポイントマークＰ１〜Ｐ６とが位置的な干渉を起こす場合以外であれば、パターン区画４に対するポイントマークＰ１〜Ｐ６の配置を変更させる必要はない。また、パターン区画４の区画線上に対してパーツパターン２が跨るような配置とすることもできる。更に、このパターン区画４を形成するためのポイントマークＰ１〜Ｐ６の配置数や詳細な配置については特に限定されるものではない。
【００２８】
各パターン区画４には、その区画内や区画外、或いは区画線上などに、パーツパターン２の切り出しに用いる裁断プログラムを、データベースなどから抽出するためのデータ表示部３が表示させることもできる。このデータ表示部３も一次元コードや二次元コード等によって形成することができ、これにより、コードリーダやラインセンサカメラなどを用いることで生地１に対して非接触のままで読み取ることができる。
【００２９】
データ表示部３を二次元コードで形成したときの一例を挙げると、一辺が４５ｍｍ程度の正方形を呈したものが、情報量に対応させやすいという意味で好適であった。この一辺長さはあくまでも一例である。
このデータ表示部３は、その表示位置とされるパターン区画４内のパーツパターン２に関する特定情報としてもよいし、隣接した（裁断サイクルにおける次位側となる）パターン区画４内のパーツパターン２に関する特定情報としてもよい。
【００３０】
以上詳説したところから明らかなように、本発明に係る生地１では、パターン区画４を
取り囲むように配置する複数のポイントマークＰ１〜Ｐ６が、一次元コード型図形又は二次元コード型図形によって形成されたものとしてある。
このような一次元コード型図形や二次元コード型図形は、コードリーダやラインセンサカメラなどによる読み取り操作において、生地１のパターン区画４内に表示される他の図形（パーツパターン２等）との間で誤認識が起こることは略無くなる。特に、ポイントマークＰ１〜Ｐ６を実際の一次元コードや二次元コードとする場合であれば、完璧に誤認識の発生を防止できるようになる。また、隣接するパターン区画４の間で、近接した配置となるポイントマーク（例えば、Ｐ２と隣接パターン区画４のＰ１、Ｐ４と隣接パターン区画４のＰ３）を見極めることも簡単且つ確実に行えるものとなる。
【００３１】
すなわち、パーツパターン２に対し、如何様に奇抜なデザイン等が採用されたとしても、コードリーダやラインセンサカメラなどは確実にポイントマークＰ１〜Ｐ６を認識することができる。
また、各ポイントマークＰ１〜Ｐ６には付加情報を含ませることもできる。このように含ませた付加情報によっては、各ポイントマークＰ１〜Ｐ６に関係する種々様々な情報を組み込むこともでき、用途としての自由度が拡大する。
【００３２】
このようなことから、生地１に生じた伸縮に対し、本出願人の出願に係る「裁断プログラム補正方法（特開２０１３−４９９３３号＝前記特許文献１参照）」を確実に実行できるものとなり、裁断の失敗を防止する効果は皆無と言えるほどにまで高められる。
なお、このようにポイントマークＰ１〜Ｐ６の誤認識防止が確実化されるため、パーツパターン２に対して各ポイントマークＰ１〜Ｐ６を近接させて配置することができる。そのため、パーツパターン２の輪郭に一致又は沿わせるようにして生地パーツを切り出すときに、切り滓を可及的に小さくすることが可能となり、生地１の歩留まりを向上させることができるという利点にも繋がる。
【００３３】
なお、ポイントマークＰ１〜Ｐ６の読み取りは、テーブルに支持された生地１の上方でラインセンサカメラを１回走行させることで行うようにすれば、短い時間内にポイントマークＰ１〜Ｐ６を一気に読み取ることができ、しかもパーツパターン２やデータ表示部３の読み取りも同時に行えるものであるため、生地裁断装置における稼働効率の面で有益である。
【００３４】
図２は、本発明に係る生地１の第２実施形態を示している。本第２実施形態も第１実施形態と同様に、パーツパターン２を含んで構成されるパターン区画４を取り囲むようにして複数のポイントマークＰ１〜Ｐ６が表示され、これら各ポイントマークＰ１〜Ｐ６が、一次元コード又は二次元コードによって形成されたものとしてある。
本第２実施形態が第１実施形態と最も異なるところは、ポイントマークＰ１〜Ｐ６を一次元コード又は二次元コードから成るものと限定したうえで、それによって含ませる付加情報を、規定の表示位置から位置ズレさせたときのズレ量とさせている点にある。
【００３５】
更に具体的に説明すれば、図２では、ポイントマークＰ５の配置をポイントマークＰ１とＰ２とを結んだ直線からやや下側（Ｙ軸方向のマイナス方向）へ位置ズレさせてあると共に、ポイントマークＰ６の配置をポイントマークＰ３とＰ４とを結んだ直線からやや上側（Ｙ軸方向のプラス方向）へ位置ズレさせてあり、これらのポイントマークＰ５，Ｐ６が有した付加情報をズレ量とさせてある。
【００３６】
このようにポイントマークＰ５やＰ６を位置ズレさせている理由は、パーツパターン２が大型化することに伴って、このパーツパターン２とポイントマークＰ５，Ｐ６の規定の表示位置（イントマークＰ１とＰ２とを結んだ直線上やポイントマークＰ３とＰ４とを結んだ直線上）とが位置的に干渉することにある。
ポイントマークＰ５，Ｐ６が有する付加情報（ズレ量）は、具体的には、規定の表示位置に対する座標値の差（正数とするか負数とするかで方向を与えられる）とすればよい。但し、必ずしも実質的な差とする必要はなく、ポイントマークＰ５，Ｐ６の読み取り後において、読取装置側に予め入力させておいた規定の表示位置との差を、座標同士の減算などによって求め、これからズレ量を判断するようにしてもよい。
【００３７】
なお、言うまでもなく、いずれのポイントマークを位置ズレさせるか、幾つのポイント
マークを位置ズレさせるか等に関しての制限はない。例えば、全部のポイントマークＰ１〜Ｐ６について位置ズレさせるようにしてもよい。また、ポイントマークをどの方向へ位置ズレさせるか（Ｘ軸方向やＹ軸方向、且つ各軸に沿ったプラス方向やマイナス方向）についても、何らの制限もない。これらは、生地１やパターン区画４の大きさをはじめ、パーツパターン２の大きさや形状、配置数などとの関係で任意に設定できるものである。
【００３８】
このような第２実施形態では、各ポイントマークＰ１〜Ｐ６を検出した後に、検出したポイントマークＰ１〜Ｐ６から得られる付加情報にズレ量が含まれているときに、このズレ量にしたがって当該ポイントマーク（Ｐ５，Ｐ６）についての規定位置を取得すればよいものである。
生地１からパーツパターン２を裁断するためのその他の手順（「裁断プログラム補正方法」の実行）については、第１実施形態と略同様である。
【００３９】
ところで、本発明は、前記実施形態に限定されるものではなく、実施の形態に応じて適宜変更可能である。
例えば、生地１の生地質や厚さ等は何ら限定されるものではなく、天然素材でも合繊素材でもよいし、場合によっては不織布等としてもよい。また広幅サイズであるか標準サイズであるかについても何ら限定されない。
【００４０】
また生地１は帯状生地に限定されるものではなく、一枚生地（帯状生地の帯長手方向を所定長さに粗切りされたものを含む）としてもよい。
言うまでもなくパーツパターン２の形状、大きさ、配置、配置数、データ表示部３の種類や配置、配置数などは何ら限定されない。
パーツパターン２は捺染以外の表示方法によって表示することも可能である。例えば、生地１のベースとなる生地組織（編組織や織組織）に対してパーツパターン２の領域だけを異なる生地組織にしたり、或いは刺繍によって表示したりする方法等を採用することもできる。
【００４１】
第１実施形態や第２実施形態において、仮想長方形の各長辺に対してその中点を示すポイントマークＰ５，Ｐ６を表示させたものとしたが、短辺に対してもその中点を示すポイントマークを表示させるようにしてもよい。
ポイントマークＰ１〜Ｐ６を一次元コード又は二次元コードとする場合、すなわち付加情報を含ませる機能があるものとする場合であっても、実際に付加情報を含ませるか否かは、裁断作業を実行するうえでの諸事情や、パーツパターン２の大きさなどに基づいて、適宜、選択すればよいものである。
【００４２】
一次元コード型図形や二次元コード型図形に付加情報を含ませる場合において、前記したようにこの付加情報としては、数字だけでなく、英字や記号などを単一的又は複合的に組み合わせてデータコードに形成することが可能である。
【符号の説明】
【００４３】
１  生地
２  パーツパターン
３  データ表示部
４  パターン区画
Ｐ１〜Ｐ６  ポイントマーク
【図１】
2015048556.tif 000003
【図２】
2015048556.tif 000004